(57)【要約】      （修正有）【課題】立体感を有する独特の味わいを持った焼き絵を提供する。【解決手段】焼き絵は、基材の表面上に、穀物を含む絵具が塗布されて、塗布された絵具をバーナー又はオーブンで炭化させて画像を形成する。【選択図】図５
0003216483.tif 000002
【実用新案登録請求の範囲】
【請求項１】
基材の表面上に、穀物を含む絵具が塗布されて、塗布された前記絵具を炭化させて画像を形成することを特徴とする焼き絵。
【請求項２】
耐火ボードの表面上に、小麦粉を含む絵具が塗布されて、塗布された前記絵具をバーナー又はオーブンで炭化させて画像を形成することを特徴とする焼き絵。
【請求項３】
前記画像は、絵具の塗布量に基づく立体形状であり、炭化度合いに基づく濃淡を有することを特徴とする請求項１又は２記載の焼き絵。
【請求項４】
前記画像は、文字画像であることを特徴とする請求項３記載の焼き絵。
【考案の詳細な説明】
【技術分野】
【０００１】
本考案は、焼き絵に関する。
【背景技術】
【０００２】
従来より、高温に加熱した電熱ペン等を木材等の木質材料に押圧し又はレーザー光を照射し、木材等の木質材料の表面を炭化させて黒色の文字や模様からなる絵画像を形成する焼き絵が知られている（例えば、特許文献１）。このように褐色や黒色の画により描かれた焼き絵は、自然で素朴な風合いが特徴である。
【先行技術文献】
【特許文献】
【０００３】
【特許文献１】特開２０１６−８８０７５号公報
【考案の概要】
【考案が解決しようとする課題】
【０００４】
しかしながら、焼き絵において立体的な素材を描く場合、一般的な絵画と異なり、焼きの技術が求められ、焼かれた濃淡のみで素材の陰影、立体感を醸し出すのは容易ではない。このため、焼き絵は平面的な絵画となりがちであり表現の幅が少なくなっていた。
【０００５】
本考案は、上記の点に鑑み提案されたものであり、立体感を有する独特の味わいを持った焼き絵を提供することを目的とする。
【課題を解決するための手段】
【０００６】
上記の課題を解決するため、本考案に係る焼き絵は、基材の表面上に、穀物を含む絵具が塗布されて、塗布された前記絵具を炭化させて画像を形成する。
【０００７】
また上記の課題を解決するため、本考案に係る焼き絵は、耐火ボードの表面上に、小麦粉を含む絵具が塗布されて、塗布された前記絵具をバーナー又はオーブンで炭化させて画像を形成する。
【考案の効果】
【０００８】
本考案の実施の形態によれば、立体感を有する独特の味わいを持った焼き絵を提供することができる。
【図面の簡単な説明】
【０００９】
【図１】本実施形態に係る焼き絵（その１）を示す図である。
【図２】本実施形態に係る焼き絵（その２）を示す図である。
【図３】本実施形態に係る焼き絵（その３）を示す図である。
【図４】本実施形態に係る焼き絵（その４）を示す図である。
【図５】本実施形態に係る焼き絵（その５）を示す図である。
【考案を実施するための形態】
【００１０】
本考案の実施の形態について、図面を参照しつつ詳細に説明する。
【００１１】
＜材料＞
（耐火ボード）
耐火ボードは、石膏ボードなど、不燃性、耐火性を有する非金属素材のボードである。一般的には、壁の防・耐火構造の材料として用いられることが多いが、本実施形態において、耐火ボードはボード表面に焼き絵画像を形成するための描画媒体（基材）として用いられる。なお、描画媒体は耐火ボードのみに限られることなく、石材（例えば石版）、木材（例えば木板）などを用いることも可能である。
【００１２】
（小麦粉）
小麦粉は、小麦を挽いて作られた穀粉である。形成されるたんぱく質のグルテンの性質により強力粉、中力粉又は薄力粉等に分類されるが、描画者の好みに応じて何れでも構わない。本実施形態において小麦粉はボード表面に絵画像を描画するための絵具として用いられる。
【００１３】
なお、塗布材料は小麦粉のみに限られることなく、炭化しうる穀粉（穀物粉）であってもよい。穀粉は、例えば、イネ科穀物（小麦粉、大麦粉、米粉等）、蕎麦粉、豆粉、芋粉などを含む。
【００１４】
（繋ぎ剤）
繋ぎ剤として、例えば、シリコーン樹脂系接着剤、アクリル樹脂系溶着剤、酢酸ビニル樹脂系接着剤などの接着剤である。一般には市販の木工用ボンドを用いることができる。
【００１５】
＜焼き絵の描画＞
（１）準備工程
まず小麦粉と水を混合する。更に繋ぎ剤としての接着剤を混合し一定以上の弾性（粘りけ）を生じさせた塗布材料（以下、絵具という）を作成する。小麦粉、水及び接着剤との混合比率は、少なくとも所定以上の弾性度合いを確保しうる比率とするが、それ以上は描画者の好みに応じて調整すればよい。
【００１６】
（２）描画工程
描画者が耐火ボードに描画する。例えば、筆や指先を介して上記小麦粉を主成分とする絵具を耐火ボードに塗り付けることで、耐火ボード上に文字や模様からなる絵画像を形成する。また、絵具を重ね塗りするなどして、所定領域内における絵具の塗布量を多くすることで、絵画像をより立体形状にできる。なお、この時点における絵画像の色彩は小麦粉由来の白系色である。
【００１７】
（３）乾燥工程
描画工程後、耐火ボード上に塗り付けられた絵具を乾燥させる。自然乾燥の場合、乾燥期間は日陰で約２日が目安であるが、乾燥期間を変更することで、絵具が含有する水分量をより多く又は少なくなるよう調整可能である。焼工程において絵具の水分量が多い程より立体的に膨れ上がる。なお、自然乾燥の他、乾燥機等を用いて乾燥させることも可能である。
【００１８】
（４）焼工程
例えばガスバーナーで耐火ボード上に塗り付けられた絵具（絵画像）を焼く。焼き色は、高温及び／又は長時間焼くと黒くなり、加減して低温及び／又は短時間焼くと褐色〜土褐色となる。つまり、焼き度合い（焼きムラ）即ち炭化度合いが進むにつれて、上記小麦粉を主成分とする絵具は、褐色〜土褐色〜黒といったように濃淡度合いが変化する。また、絵具部分のみならず、耐火ボード表面を焼くことで耐火ボード上の非画像領域においても褐色を表現可能である。
【００１９】
なお、ガスバーナーで絵具を焼く方法の他、例えば、オーブンなどの電気炉で焼くことも可能である。また、本実施形態に係る焼き絵は、絵具（絵画像）を焼いて炭化させることで画像を形成することから、炭化画とも呼ぶことができる。
【００２０】
＜焼き絵の事例＞
図１は、本実施形態に係る焼き絵（その１）を示す図である。図１は、描画工程又は乾燥工程における絵画像を示す。ゆえに絵画像の色彩は小麦粉由来の白系色である。
【００２１】
描画者が筆や指先を介して上記小麦粉を主成分とする絵具を耐火ボード１０に塗り付けることで、耐火ボード上に模様からなる絵画像２０ａを形成する。また、絵具を重ね塗りするなどして塗布量を多くすることで、例えば葡萄の房をより立体形状にできる。
【００２２】
図２−４は、本実施形態に係る焼き絵（その２〜４）を示す図である。図２−４は、焼工程後における絵画像を示す。
【００２３】
描画者がガスバーナーで耐火ボード上に塗り付けられた絵画像２０ａを焼くことで、褐色〜土褐色〜黒といったように濃淡度合いを有した絵画像２０ｂとなる。また、絵具のみならず、耐火ボード表面を焼くことで耐火ボード上の非画像領域２０ｃにおいても褐色等の濃淡を表現可能である。
【００２４】
図５は、本実施形態に係る焼き絵（その５）を示す図である。図５は、焼工程後における絵画像を示す。
【００２５】
描画者がガスバーナーで耐火ボード上に塗り付けられた文字画像２０ａを焼くことで、褐色〜土褐色〜黒といったように濃淡度合いが変化した文字画像２０ｄとなる。特に書道風の文字跳ねなどは立体感のある独特の味わいを持った書を表現可能である。
【００２６】
＜総括＞
以上、本実施形態に係る焼き絵によれば、以下の効果を奏することが可能である。
・容易に立体感や表面の凹凸を表現することが可能である。陰影の表現も容易となる。
・また、焼工程により褐色〜土褐色〜黒という光（色）を表現できるため、従来の水墨画などとも異なる独特の味わいを持った焼き絵を表現可能である。
・従来の書道においては、墨による平面・濃淡・モノトーンの表現世界であった。一方、本実施形態に係る焼き絵は耐火ボード上に文字からなる絵画像を形成することで、立体感及び褐色〜土褐色〜黒という光（色）を表現できるため、従来の書（書道）とは異なり、独特の味わいを持った書を表現可能である。
・また、焼き絵は焼工程で焼かれているため、物理的にも破損しにくく保存性も高い。
・身近な材料のみで実現できるため、誰でも容易に作成できる。
【００２７】
即ち、本実施形態に係る焼き絵によれば、立体感を有する独特の味わいを持った焼き絵及び焼き絵の描画方法を提供することが可能である。
【００２８】
なお、本考案の好適な実施の形態により、特定の具体例を示して本考案を説明したが、実用新案登録請求の範囲に定義された本考案の広範な趣旨および範囲から逸脱することなく、これら具体例に様々な修正および変更を加えることができることは明らかである。すなわち、具体例の詳細および添付の図面により本考案が限定されるものと解釈してはならない。
【００２９】
（焼き絵の描画方法）
本実施形態に係る焼き絵を描画・作成するにあたり、例えば以下の焼き絵の描画方法の発明とすることが可能である。
【００３０】
基材の表面上に、穀物を含む絵具が塗布される工程と、
塗布された絵具を炭化させて画像を形成する工程と、
を含むことを特徴とする焼き絵の描画方法。
【符号の説明】
【００３１】
１０            耐火ボード
２０ａ、２０ｂ  絵画像
２０ｃ          非画像領域
２０ｄ          文字画像
【図１】
0003216483.tif 000003
【図２】
0003216483.tif 000004
【図３】
0003216483.tif 000005
【図４】
0003216483.tif 000006
【図５】
0003216483.tif 000007